(57)【要約】【課題】屋外作業者等に限らず一般の人が通常着用する衣服に所定形状の穴を開け、特別にこの穴の周囲を補強することなく、簡易且つ強固に簡単かつ安価に衣服に取付けることができる衣服用ファンを提供する。【解決手段】ファン本体１０と、外周面に雄ネジからなる螺着部２４が形成され内部にファン本体１０が収納される筒体２１、多数の滑り止め突起２５が設けられた円環板状のフランジ２２、及び空気吸込部２３、を有するファン本体収納部２０と、ファン本体収納部２０の螺着部２４が螺着される雌ネジからなる被螺着部３４が内周面に形成された筒体３１、及び空気吹出部３２と、を有するファンカバー部３０と、を備えた。そして、ファンカバー部３０と布地６１との間に、多数の滑り止め突起４３が設けられた円環板状の滑り止め板材４０を介挿した。【選択図】図３
0003226906.tif 000002
【実用新案登録請求の範囲】
【請求項１】
衣服の布地に形成された取付穴に取着されるファン本体と、
外周面に雄ネジからなる螺着部が形成され、内部に前記ファン本体が収納される筒体と、該筒体の一側開口から外方に突出し、前記布地の表側面と対向する面に、多数の滑り止め突起が設けられまたは軸芯を中心として円環状に嵌合凹凸部が形成された円環板状のフランジと、前記筒体の一側開口に設けられた空気吸込部と、を有するファン本体収納部と、
前記ファン本体収納部の螺着部が螺着される雌ネジからなる被螺着部が内周面に形成された筒体と、該筒体の一側開口に設けられた空気吹出部と、を有し、前記ファン本体を覆うファンカバー部と、
を備え、
前記布地の裏側面と対向する面に、多数の滑り止め突起が設けられまたは前記ファン本体収納部の嵌合凹凸部と嵌合する嵌合凹凸部が形成され、前記ファン本体収納部のフランジとで前記布地を挟持する円環板状の滑り止め板材が、前記ファンカバー部と前記布地との間に介挿されていることを特徴とする衣服用ファン。
【請求項２】
衣服の布地に形成された取付穴に取着されるファン本体と、
外周面に雄ネジからなる螺着部が形成され、内部に前記ファン本体が収納される筒体と、該筒体の一側開口から外方に突出するフランジと、前記筒体の一側開口に設けられた空気吸込部と、を有するファン本体収納部と、
前記ファン本体収納部の螺着部が螺着される雌ネジからなる被螺着部が内周面に形成された筒体と、該筒体の一側開口に設けられた空気吹出部と、を有し、前記ファン本体を覆うファンカバー部と、
を備え、
前記布地の表側面と対向する面に、多数の滑り止め突起が設けられまたは軸芯を中心に円環状に嵌合凹凸部が形成された円環板状の第１滑り止め板材が、前記ファン本体収納部と前記布地との間に介挿され、
前記布地の裏側面と対向する面に、多数の滑り止め突起が設けられまたは前記第１滑り止め板材の嵌合凹凸部と嵌合する嵌合凹凸部が形成され、前記第１滑り止め板材とで前記布地を挟持する円環板状の第２滑り止め板材が、前記ファンカバー部と前記布地との間に介挿されていることを特徴とする衣服用ファン。
【請求項３】
衣服の布地に形成された取付穴に取着されるファン本体と、
前記ファン本体の空気吸込側に取り付けられ、前記ファン本体が収納されるファン本体収納部と、
前記ファン本体収納部に設けられた筒体の外面に螺着されて前記ファン本体の空気吹出側に取り付けられ、前記ファン本体を覆うファンカバー部と、
前記ファン本体収納部に取り付けられ、前記ファン本体収納部から外方に張り出して雨水が該ファン本体収納部内に侵入するのを防止する雨除けカバーと、
を備えたことを特徴とする衣服用ファン。
【請求項４】
衣服の布地に形成された取付穴に取着されるファン本体と、
前記ファン本体の空気吸込側に取り付けられ、前記布地の表側面と対向する面に、多数の滑り止め突起が設けられまたは軸芯を中心として円環状に嵌合凹凸部が形成された円環板状のフランジを有し、前記ファン本体が収納されるファン本体収納部と、
前記ファン本体収納部に設けられた筒体の外面に螺着されて前記ファン本体の空気吹出側に取り付けられ該ファン本体を覆うファンカバー部と、
を備えた衣服用ファンに、取り付けられる滑り止め板材であって、
環状板からなり、前記布地の裏側面と対向する面に、多数の滑り止め突起が設けられまたは軸芯を中心として円環状に嵌合凹凸部が形成され、前記ファンカバー部と前記布地との間に介挿されて、前記ファン本体収納部のフランジとで前記布地を挟持することを特徴とする滑り止め板材。
【請求項５】
衣服の布地に形成された取付穴に取着されるファン本体と、
前記ファン本体の空気吸込側に取り付けられ、前記ファン本体が収納されるファン本体収納部と、
前記ファン本体収納部に設けられた筒体の外面に螺着されて前記ファン本体の空気吹出側に取り付けられ該ファン本体を覆うファンカバー部と、
を備えた衣服用ファンに、取り付けられる滑り止め板材であって、
環状板からなり、前記布地の表側面と対向する面に、多数の滑り止め突起が設けられまたは周方向に沿って嵌合凹凸部が形成され、前記ファン本体収納部と前記布地との間に介挿される第１滑り止め板材と、
環状板からなり、前記布地の裏側面と対向する面に、多数の滑り止め突起が設けられまたは軸芯を中心として円環状に嵌合凹凸部が形成され、前記ファンカバー部と前記布地との間に介挿されて、前記第１滑り止め板材とで前記布地を挟持する第２滑り止め板材と、
からなることを特徴とする滑り止め板材。
【請求項６】
ファン本体と、該ファン本体が収納されるファン本体収納部と、前記ファン本体の空気吹出部を覆うファンカバー部と、を備えた衣服用ファンに取り付けられる、衣服用ファンの雨除けカバーであって、
前記ファン本体収納部の外方に張り出して雨水が該ファン本体収納部内に侵入するのを防止するカバー部と、
外部から空気を前記ファン本体収納部内に取り入れる空気取入れ部と、
を備えたことを特徴とする衣服用ファンの雨除けカバー。
【請求項７】
前記カバー部は、蛇腹状に形成され、折り畳み自在であることを特徴とする請求項６に記載の衣服用ファンの雨除けカバー。
【考案の詳細な説明】
【技術分野】
【０００１】
本願は、屋外の日差しの中の作業などで冷涼感を得るために衣服に装着される衣服用ファン、滑り止め板材及び衣服用ファンの雨除けカバーに関する。
【背景技術】
【０００２】
夏季における猛暑日のなかで、外出等をするときは、非常な苦痛を感じる。特に、屋外の日差しの中で作業するときは更に大変である。従来は、猛暑に耐えるように作業服にファンを取付けたものが普及していた。しかし、近年の異常なまでの猛暑から、作業者以外の一般の人も着衣にファンを取付けることが必要になってきた。
【０００３】
しかし、従来のファンを取付けた専用の作業着は高価であって、何人も入手できるとは言い難い。このため、一般の人が衣服にファンと同一形状の穴を開けてファンを取付けることも行なわれるようになり、ファン自体も近年は小型、軽量、高出力のものが開発されている。ところが、衣服に開けた穴にファンを強固に取付けないと、着衣中に当たったり衣服が引張られたりしてファンが脱落してしまうことがあった。そこで、衣服に開けた穴の周囲を補強する必要があるが、この作業はかなり手間とコストがかかるものであった。なお、この種の衣服用ファンとして、例えば特許文献１〜３等に記載の技術が開示されている。
【先行技術文献】
【特許文献】
【０００４】
【特許文献１】特開２０１６−３３２６７号公報
【特許文献２】特開２０１８−１１５６４６号公報
【特許文献３】特開２０１８−１１２１７７号公報
【考案の概要】
【考案が解決しようとする課題】
【０００５】
そこで、本考案は、屋外作業者等に限らず一般の人が通常着用する衣服に所定形状の穴を開け、特別にこの穴の周囲を補強することなく、簡易な構成で強固に簡単かつ安価に衣服に取付けることができる、衣服用ファン、滑り止め板材及び衣服用ファンの雨除けカバーの提供を課題とするものである。
【課題を解決するための手段】
【０００６】
請求項１の衣服用ファンは、衣服の布地に形成された取付穴に取着されるファン本体と、
外周面に雄ネジからなる螺着部が形成され、内部に前記ファン本体が収納される筒体と、該筒体の一側開口から外方に突出し、前記布地の表側面と対向する面に、多数の滑り止め突起が設けられまたは軸芯を中心として円環状に嵌合凹凸部が形成された円環板状のフランジと、前記筒体の一側開口に設けられた空気吸込部と、を有するファン本体収納部と、
前記ファン本体収納部の螺着部が螺着される雌ネジからなる被螺着部が内周面に形成された筒体と、該筒体の一側開口に設けられた空気吹出部と、を有し、前記ファン本体を覆うファンカバー部と、を備えている。そして、前記布地の裏側面と対向する面に、多数の滑り止め突起が設けられまたは前記ファン本体収納部の嵌合凹凸部と嵌合する嵌合凹凸部が形成され、前記ファン本体収納部のフランジとで前記布地を挟持する円環板状の滑り止め板材が、前記ファンカバー部と前記布地との間に介挿されている。
【０００７】
請求項２の衣服用ファンは、請求項１のファン本体収納部のフランジに設けられた滑り止め突起または嵌合凹凸部が、別体としての第１滑り止め板材に設けられたものである。
請求項３の衣服用ファンは、ファン本体収納部に、ファン本体収納部から外方に張り出して雨水が該ファン本体収納部内に侵入するのを防止する雨除けカバーが取り付けられたものである。
【０００８】
請求項４の滑り止め板材は、衣服用ファンに取り付けられるものであって、環状板からなり、前記布地と対向する面に、多数の滑り止め突起が設けられまたは軸芯を中心として円環状に嵌合凹凸部が形成されており、前記ファンカバー部と前記布地との間に介挿されるものである。
請求項５の滑り止め板材は、衣服用ファンに取り付けられるものであって、環状板からなり、前記布地と対向する面に、多数の滑り止め突起が設けられまたは軸芯を中心として円環状に嵌合凹凸部が形成されており、前記ファンカバー部と前記布地との間及び前記ファン本体収納部と前記布地との間に介挿されるものである。
【０００９】
請求項６の雨除けカバーは、衣服用ファンに取り付けられるものであって、ファン本体収納部の外方に張り出して雨水が該ファン本体収納部内に侵入するのを防止するカバー部と、外部から空気を前記ファン本体収納部内に取り入れる空気取入れ部と、を備えている。
請求項７の雨除けカバーは、蛇腹状に形成され、折り畳み自在なものである。
【考案の効果】
【００１０】
本考案は、表面に滑り止め突起または嵌合凹凸部が設けられた滑り止め板材を備えており、２つの滑り止め板材、あるいは滑り止め板材と表面に滑り止め突起または嵌合凹凸部が設けられたファン本体収納部のフランジとが、衣服の表裏両側から布地を確実に挟持する。このため、既成の衣服地であっても、円形等の穴を設け、滑り止め板材を取り付けることにより、ファンを衣服に強固に固定することができ、また、簡易な構成で簡単かつ安価にファンを固定することができる。
【図面の簡単な説明】
【００１１】
【図１】本考案の第１実施形態の衣服用ファンを斜め上方向から見た分解斜視図である。
【図２】図１の衣服用ファンを斜め下方向から見た分解斜視図である。
【図３】図１の衣服用ファンの分解正面図である。
【図４】(a)は図１の滑り止め板材の平面図、(b)は図１のファン本体収納部のフランジの平面図である。
【図５】本考案の第１実施形態の衣服用ファンの正面図である。
【図６】(a)は図４とは別の滑り止め板材の平面図、(b)は図４とは別のファン本体収納部のフランジの平面図、(c)は、(a)の嵌合凹凸部と(b)の嵌合凹凸部とが嵌合する状態を示す断面図である。
【図７】本考案の第２実施形態の衣服用ファンの分解正面図である。
【図８】(a)は本考案の第３実施形態の衣服用ファンにおける雨除けカバーの平面図、(b)は(a)のＡ−Ａ切断線による断面図である。
【考案を実施するための形態】
【００１２】
〈第１実施形態〉
まず、本考案の第１実施形態の衣服用ファンを図に基づいて説明する。
図１乃至図４において、衣服用ファン１は、ファン本体１０と、ファン本体１０の空気吸込側に取り付けられ、ファン本体１０が収納されるファン本体収納部２０と、ファン本体１０の空気吹出側に取り付けられ、該ファン本体１０を覆うファンカバー部３０と、を備えている。そして、ファンカバー部３０と布地６１との間に、多数の滑り止め突起４３が設けられた円環板状の滑り止め板材４０が介挿されている。以下、各構成部材について詳細に説明する。
【００１３】
ファン本体１０は、衣服６０の布地６１に形成された取付穴６１ａに取着されるもので、市場において種々のものが得られる。ファン本体１０は、平面形状が円形であり、モータを備え、リード線１２を介してコネクタ１１が取付られている。通常ファン本体１０の動力源であるバッテリは、ズボンのバンド等に固定される。バッテリ側のコネクタ１３をファン本体１０のコネクタ１１と接続してバッテリ収納ボックスのオン・オフのスイッチによりファン本体１０の羽根を回転させ、外気を衣服６０内に導いて涼を得ている。
【００１４】
ファン本体１０のモータ駆動電力は、通常、電圧は５〜１２ボルト、電流は０．１５〜０．３０アンペアのものが使用される。この範囲のファンは、バッテリの１回の充電で、４〜８時間使用可能である。また、これら範囲以外であっても用途に応じて、大電力のモータを使用することもできるし、小電力のものを使用することもできる。
【００１５】
ファン本体収納部２０は、合成樹脂で形成され、内部にファン本体１０が収納される円筒状の筒体２１と、筒体２１の一側開口から外方に水平に突出するフランジ２２と、筒体２１の他側開口に設けられた空気吸込部２３と、を有している。筒体２１は、ファン本体１０が収納可能な大きさ及び平面形状を有し、外周面には雄ネジからなる螺着部２４が形成されている。フランジ２２は、円環板状に形成され、ファン本体１０が挿通される。
【００１６】
フランジ２２における布地６１の表側面６２と対向する面には、面全体に至って多数の滑り止め突起２５が所定間隔で設けられている。ここで、布地６１の表側面６２とは衣服６０の外側を向く面をいう。滑り止め突起２５は、所定高さの円錐形に形成されている。但し、滑り止め突起２５は、四角錐、三角錐等、他の形状のものであってもよく、要するに布地６１を強く押圧しあるいは布地６１に食い込んでフランジ２２が布地６１に対して面方向に移動するのを阻止する形状であればよい。空気吸込部２３は放射状に配置された多数のリブ２６で形成されており、外気はリブ２６間を通過してファン本体収納部２０内に取り込まれる。リブ２６は、ファン本体収納部２０の全体構造を補強するとともにファン本体１０に異物が吸込まれて羽根の回転が阻害され、駆動モータが損傷するのを防ぐ。
【００１７】
ファン本体収納部２０のフランジ２２の滑り止め突起２５は、具体的には、図４(b)に示すように、僅かに径が異なる大小２つの円上に周方向に所定間隔で多数設けられている。但し、滑り止め突起２５はこの配列に限られるものではない。
【００１８】
ファンカバー部３０は、円筒状の筒体３１と、筒体３１の一側開口に設けられた空気吹出部３２と、筒体３１の他側開口から側方に張り出したフランジ３３と、を有する。筒体３１は、ファン本体収納部２０の螺着部２４が螺着される、雌ネジからなる被螺着部３４が内周面に形成されている。空気吹出部３２は、多数のリブ３５が形成され、ファン本体１０で発生した空気は空気吹出部３２のリブ３５の隙間から衣服６０内に吹き出される。空気吹出部３２の中央にはファン本体１０のモータからのリード線１２が挿通される挿通孔３６が設けられている。
【００１９】
滑り止め板材４０は、合成樹脂からなる板厚が例えば１．５〜２ｍｍ程度の円環板状の部材で形成されており、ファン本体収納部２０のフランジ２２とで布地６１を挟持するものである。滑り止め板材４０は、布地６１の裏側面６３と対向する面に、面全体に至って多数の滑り止め突起４３が所定間隔で設けられている。ここで、布地６１の裏側面６３とは衣服６０の内側を向いている面をいう。滑り止め板材４０は、ファン本体収納部２０のフランジ２２と同一形状、同一の大きさとすることが好ましい。滑り止め板材４０は、外周縁部に取り扱いを容易とするための凹凸状の指かけ４５が設けられている。
【００２０】
滑り止め突起４３は、具体的には、図４(a)に示すように、ファン本体収納部２０のフランジ２２の滑り止め突起２５が配列されている円と同一径の２つの円上に周方向に所定間隔で多数設けられている。但し、この滑り止め突起４３は、ファン本体収納部２０のフランジ２２の滑り止め突起２５とはずれた位相に設けられている。つまり、滑り止め突起４３は、ファン本体収納部２０のフランジ２２に設けられた多数の滑り止め突起２５の間にあってこの滑り止め突起２５と重ならず干渉しない位置に設けられている。これにより、ファン本体収納部２０のフランジ２２と滑り止め板材４０とが布地６１を挟持したとき、両滑り止め突起２５，４３は、図５に示すように、互いに噛み合うようにして布地６１を押圧しあるいはこれに食い込む。
【００２１】
滑り止め板材４０の滑り止め突起４３は、ファン本体収納部２０のフランジ２２の滑り止め突起２５と同様に、所定高さの円錐形に形成されている。但し、滑り止め突起４３は、四角錐、三角錐等、他の形状のものであってもよく、要するに布地６１を押圧しあるいはこれに食い込んで滑り止め板材４０が布地６１に対して面方向に移動するのを阻止する形状であればよい。
【００２２】
次に、上記のように構成された本実施形態の衣服用ファン１を衣服６０に取り付ける方法を説明する。
まず、衣服用ファン１を取り付けたい位置で衣服６０の布地６１を円形に裁断してファン本体１０の外径に対応する大きさの取付穴６１ａを形成する。次に、ファン本体収納部２０の筒体２１の内部にファン本体１０を収納する。そして、ファン本体１０及びファン本体収納部２０の筒体２１を一体に布地６１の取付穴６１ａに挿通し、ファン本体収納部２０のフランジ２２を布地６１の表側面６２にあてがう。この状態では、ファン本体収納部２０の筒体２１は、布地６１の裏側に突出し、フランジ２２の滑り止め突起２５は布地６１の表側面６２と当接する。
【００２３】
続いて、布地６１の反対側すなわち裏面側から、滑り止め突起４３が布地６１に対向する状態で、滑り止め板材４０の中央穴４０ａ内にファン本体収納部２０の筒体２１を挿通させながら取り付けて滑り止め板材４０を布地６１の裏側面６３にあてがう。次に、ファンカバー部３０を手で回しながらその筒体３１をファン本体収納部２０の筒体２１に被せつつ雌ネジからなる被螺着部３４をファン本体収納部２０の筒体２１の雄ネジからなる螺着部２４に螺着する。これにより、衣服用ファン１が衣服６０に取り付けられる。この状態においては、布地６１はファン本体収納部２０のフランジ２２と滑り止め板材４０とで挟持され、両滑り止め突起２５，４３は布地６１を押圧しあるいは先端が布地６１に食い込んで、衣服用ファン１は強固に衣服６０に取り付けられる。
【００２４】
次に、本実施形態の衣服用ファン１の作用を説明する。
衣服用ファン１は、滑り止め板材４０を備えており、ファン本体収納部２０のフランジ２２及び滑り止め板材４０が衣服６０の表裏両側から布地６１を挟持するとともに、ファン本体収納部２０のフランジ２２及び滑り止め板材４０それぞれに滑り止め突起２５，４３が設けられているので、これらの滑り止め突起２５，４３が布地６１を強く押圧しあるいはこれに食い込む。このため、ファン本体収納部２０のフランジ２２及び滑り止め板材４０が強固に布地６１を挟持し、布地６１上を滑るのが防止される。これにより、使用中に衣服用ファン１が衣服６０から脱落するのが確実に防止される。その結果、既成の衣服６０であっても、これに円形の取付穴６１ａを設け、滑り止め板材４０を取り付けることにより、ファンを衣服６０に強固に固定することができ、また、簡易な構成で容易かつ安価にファンを固定することができる。そして、衣服６０に円形の取付穴６１ａを設けるとき、その周囲は特に補強する必要はない。
【００２５】
ところで、ファン本体収納部２０のフランジ２２及び滑り止め板材４０は、布地６１と対向する面に、それぞれ滑り止め突起２５，４３が設けられているが、これらの滑り止め突起ではなく、図６に示すように、ファン本体収納部２０のフランジ２２には、布地６１と対向する面に、フランジ２２の軸芯２２ａを中心として円環状に断面コ字状の嵌合凹凸部２７を形成し、滑り止め板材４０には、布地６１と対向する面に、滑り止め板材４０の軸芯４０ｂを中心として円環状に断面コ字状の嵌合凹凸部４６を形成し、フランジ２２の嵌合凹凸部２７と滑り止め板材４０の嵌合凹凸部４６とが互いに嵌合するものを設けてもよい。この場合、図６(c)に示すように、ファン本体収納部２０のフランジ２２と滑り止め板材４０とは、嵌合凹凸部２７と嵌合凹凸部４５とが互いに嵌合しつつ布地６１を挟持するので、図４に示すものと同様に、ファン本体収納部２０のフランジ２２及び滑り止め板材４０が、布地６１上を面に沿って滑って移動するのを確実に防止することができる。
【００２６】
〈第２実施形態〉
次に、本考案の第２実施形態の衣服用ファンを図７に基づいて説明する。
第１実施形態の衣服用ファン１は、ファン本体収納部２０のフランジ２２に滑り止め突起２５が設けられているが、第２実施形態の衣服用ファン１は、滑り止め突起が別体としての第１滑り止め板材４１に設けられている点のみが第１実施形態の衣服用ファン１と異なっている。
【００２７】
図７において、ファン本体収納部２０のフランジ２２は、滑り止め突起は設けられておらず、平面に形成されている。ファン本体収納部２０側の滑り止め突起は、別体としての第１滑り止め板材４１において布地６１と対向する側の面に設けられている。なお、ファンカバー部３０側には、第１実施形態と同じ滑り止め板材４０が第２滑り止め板材４２として設けられている。すなわち、第２実施形態の衣服用ファン１は、第１滑り止め板材４１と第２滑り止め板材４２との２つが別体として備えられている。
【００２８】
このため、ファン本体収納部２０側にもファンカバー部３０側にも滑り止め突起が設けられていない既存の衣服用ファンに対して、滑り止め突起４４が設けられている第１滑り止め板材４１と滑り止め突起４３が設けられている第２滑り止め板材４２との２つの板材を使用して衣服用ファン１を衣服６０に取り付ければ、第１実施形態と同様に、布地６１はこれら２つの滑り止め板材によって強固に挟持され、使用中に衣服用ファン１が衣服６０から脱落するのが確実に防止される。
【００２９】
〈第３実施形態〉
次に、本考案の第３実施形態の衣服用ファンを図８に基づいて説明する。
ファン本体収納部２０には、雨除けカバー５０が設けられている。雨除けカバー５０は、図８に示すように、ファン本体収納部２０の外方に張り出して雨水がファン本体収納部２０内に侵入するのを防止するカバー部５１と、外部から空気をファン本体収納部２０内に取り入れる開口からなる空気取入れ部５２と、を備えている。更に、雨除けカバー５０は、底部の外周に沿って凹部からなるフランジ取付溝５３が形成されており、その内部にはファン本体収納部２０のフランジ２２の外周縁部が挿入、保持される。これにより、雨除けカバー５０は、ファン本体収納部２０のフランジ２２に取り付けられる。なお、雨除けカバー５０は、ファン本体収納部２０のフランジ２２と一体化して取り付けてもよい。
【００３０】
本実施形態の衣服用ファン１は、カバー部５１が、蛇腹構造をなし、ファン本体収納部２０の上半部において庇状に張り出してファン本体収納部２０の上半部の全体を覆い、上方から降り注ぐ雨水を遮断する。雨除けカバー５０は、カバー部５１が蛇腹構造をなしているので、雨天時や降雪時以外の天候のときには、カバー部５１を折り畳んで人や物体に当たるのを抑えることができるとともに、コンパクト化して見栄えが向上する。但し、カバー部５１は必ずしも蛇腹構造のものでなくてもよい。
【００３１】
雨除けカバー５０は、シリコンゴム等のゴム材、軟質樹脂、エラストマーなど各種の弾性素材、軟質材で形成されている。雨除けカバー５０は衣服６０の外側に張り出すので、当たって人が負傷する危険を回避するとともに、雨除けカバー５０自体が破損するのを防止するためである。また、シリコンゴムなどの素材は、粘着性を有するので布地６１面に対して滑り難いというメリットもある。但し、雨除けカバー５０は、一定形状を保持する合成樹脂等で形成してもよい。
【００３２】
ところで、上記各実施形態の滑り止め板材及びファン本体収納部２０のフランジ２２は、円環板状に形成されているが、本発明を実施する場合は、これに限られるものではなく、六角形、八角形等の角形あるいは楕円形などの環状形状に形成してもよい。
【符号の説明】
【００３３】
１  衣服用ファン                     ４０  滑り止め板材
１０  ファン本体                       ４１  第１滑り止め板材
２０  ファン本体収納部                 ４２  第２滑り止め板材
２１、３１  筒体                       ５０  雨除けカバー
２２  フランジ                         ５１  カバー部
２３  空気吸込部                       ５２  空気取入れ部
２４  螺着部                           ６０  衣服
２５、４３、４４  滑り止め突起         ６１  布地
２７、４６  嵌合凹凸部                 ６１ａ  取付穴
３０  ファンカバー部                   ６２  表側面
３２  空気吹出部                       ６３  裏側面
３４  被螺着部
【図１】
0003226906.tif 000003
【図２】
0003226906.tif 000004
【図３】
0003226906.tif 000005
【図４】
0003226906.tif 000006
【図５】
0003226906.tif 000007
【図６】
0003226906.tif 000008
【図７】
0003226906.tif 000009
【図８】
0003226906.tif 000010